(57)【特許請求の範囲】
【請求項１】
ＧＰＳ装置及びプリンタを有する電子カメラにおいて、
被写体を撮像して被写体を示す画像データを取得する撮像手段と、
前記撮像手段が取得した画像データを間引き処理してなる縮小画像を示す画像データを作成する手段と、
撮影時に前記ＧＰＳ装置が測位した位置情報に基づいて所定の範囲の地図画像を示す地図データを発生する地図データ発生手段と、
前記地図データ発生手段から発生された地図データと前記縮小画像を示す画像データとを合成する合成手段であって、前記地図データが示す地図画像上の前記位置情報が示す位置に前記縮小画像がくるように合成する合成手段と、
前記合成手段によって合成された画像データを前記プリンタに出力し、該プリンタに合成された画像を印刷させる手段と、
撮影時に非同期のシリアル通信で前記ＧＰＳ装置が測位した位置情報を取り込み、前記縮小画像を示す画像データとともに前記ＧＰＳ装置が測位した位置情報を前記画像データに対応して記録媒体に記録し、印刷時に前記記録媒体から前記画像データとともに位置情報を読み出す記録再生手段と、を備え、
前記地図データ発生手段は、地図画像の縮尺を選択する縮尺選択手段を有し、該縮尺選択手段によって選択された縮尺の地図データであって、前記位置情報が示す位置が地図画像の中心となるように地図データを発生し、
前記合成手段は、前記縮小画像が前記地図画像の中心となるように前記地図データと画像データとを合成することを特徴とする電子カメラ。
【請求項２】
ＧＰＳ装置を有する電子カメラにおいて、
被写体を撮像して被写体を示す画像データを取得する撮像手段と、
前記撮像手段が取得した画像データを間引き処理してなる縮小画像を示す画像データを作成する手段と、
撮影時に前記ＧＰＳ装置が測位した位置情報に基づいて所定の範囲の地図画像を示す地図データを発生する地図データ発生手段と、
前記地図データ発生手段から発生された地図データと前記縮小画像を示す画像データとを合成する合成手段であって、前記地図データが示す地図画像上の前記位置情報が示す位置に前記縮小画像がくるように合成する合成手段と、
前記合成手段によって合成された画像データを記録媒体に記録する記録手段と、を備え、
前記地図データ発生手段は、地図画像の縮尺を選択する縮尺選択手段を有し、該縮尺選択手段によって選択された縮尺の地図データであって、前記位置情報が示す位置が地図画像の中心となるように地図データを発生し、
前記合成手段は、前記縮小画像が前記地図画像の中心となるように前記地図データと画像データとを合成することを特徴とする電子カメラ。
【発明の詳細な説明】
【０００１】
【発明の属する技術分野】
本発明は電子カメラに係り、特にＧＰＳ（Global Positioning System)及びプリンタがそれぞれ内蔵又は接続された電子カメラに関する。
【０００２】
【従来の技術】
従来、撮像した画像又はメモリカードから読み出した画像を印刷することができるプリンタを内蔵した電子カメラが提案されている（特開平９−２２４２０６号公報）。
また、ＧＰＳ装置から位置情報を取り込んで地図情報と画像とを記録する電子カメラも提案されている（特開平７−２８８７２５号公報）。
【０００３】
【発明が解決しようとする課題】
しかしながら、ＧＰＳ装置及びプリンタがそれぞれ内蔵又は接続された電子カメラはない。また、ＧＰＳ装置及びプリンタを備えた電子カメラを構成し、撮影した画像とその撮影場所を示す地図画像とを印刷することが考えられるが、この場合、別々に印刷すると撮影画像と地図画像との対応関係が不明になり、一方、地図画像上に撮影画像を重ねて印刷すると、地図画像が隠れてしまうという問題がある。
【０００４】
本発明はこのような事情に鑑みてなされたもので、撮影した画像とその撮影場所を示す地図画像とを合成した合成画像を印刷することができるともに、撮影画像によって地図画像が隠れないようにすることができる電子カメラを提供することを目的とする。
【０００５】
【課題を解決するための手段】
上記目的を達成するために、本願請求項１に係る発明は、ＧＰＳ装置及びプリンタを有する電子カメラにおいて、被写体を撮像して被写体を示す画像データを取得する撮像手段と、前記撮像手段が取得した画像データを間引き処理してなる縮小画像を示す画像データを作成する手段と、撮影時に前記ＧＰＳ装置が測位した位置情報に基づいて所定の範囲の地図画像を示す地図データを発生する地図データ発生手段と、前記地図データ発生手段から発生された地図データと前記縮小画像を示す画像データとを合成する合成手段であって、前記地図データが示す地図画像上の前記位置情報が示す位置に前記縮小画像がくるように合成する合成手段と、前記合成手段によって合成された画像データを前記プリンタに出力し、該プリンタに合成された画像を印刷させる手段と、撮影時に非同期のシリアル通信で前記ＧＰＳ装置が測位した位置情報を取り込み、前記縮小画像を示す画像データとともに前記ＧＰＳ装置が測位した位置情報を前記画像データに対応して記録媒体に記録し、印刷時に前記記録媒体から前記画像データとともに位置情報を読み出す記録再生手段と、を備え、前記地図データ発生手段は、地図画像の縮尺を選択する縮尺選択手段を有し、該縮尺選択手段によって選択された縮尺の地図データであって、前記位置情報が示す位置が地図画像の中心となるように地図データを発生し、前記合成手段は、前記縮小画像が前記地図画像の中心となるように前記地図データと画像データとを合成することを特徴としている。
【０００６】
即ち、撮影場所を示す位置情報をＧＰＳ装置から取得し、この位置情報に基づいて地図データ発生手段から所定の範囲の地図画像を示す地図データを取り込み、一方、撮像手段が取得した画像データを間引き処理してなる縮小画像を示す画像データを作成する。そして、前記地図データと縮小画像を示す画像データとを合成し、その合成した画像データをプリンタに出力することにより、撮影した画像とその撮影場所を示す地図画像とが合成された合成画像を印刷するようにしている。尚、地図画像に合成される画像を縮小画像とすることにより、撮影画像によって地図画像が隠れないようにしている。
また、縮小された撮影画像は、自動的に地図画像の中心位置（この中心位置は撮影した位置に対応する）に印刷される。
【０００７】
本願請求項２に係る発明は、ＧＰＳ装置を有する電子カメラにおいて、被写体を撮像して被写体を示す画像データを取得する撮像手段と、前記撮像手段が取得した画像データを間引き処理してなる縮小画像を示す画像データを作成する手段と、撮影時に前記ＧＰＳ装置が測位した位置情報に基づいて所定の範囲の地図画像を示す地図データを発生する地図データ発生手段と、前記地図データ発生手段から発生された地図データと前記縮小画像を示す画像データとを合成する合成手段であって、前記地図データが示す地図画像上の前記位置情報が示す位置に前記縮小画像がくるように合成する合成手段と、前記合成手段によって合成された画像データを記録媒体に記録する記録手段と、を備え、前記地図データ発生手段は、地図画像の縮尺を選択する縮尺選択手段を有し、該縮尺選択手段によって選択された縮尺の地図データであって、前記位置情報が示す位置が地図画像の中心となるように地図データを発生し、前記合成手段は、前記縮小画像が前記地図画像の中心となるように前記地図データと画像データとを合成することを特徴としている。
【０００８】
即ち、本願請求項１と同様に地図データと縮小画像を示す画像データとを合成し、その合成した画像データを記録媒体に記録するようにしている。従って、この記録媒体に記録された前記合成した画像データを適宜のプリンタに出力することにより、撮影した画像とその撮影場所を示す地図画像とが合成された合成画像を印刷することができる。
【０００９】
また、縮小された撮影画像は、自動的に地図画像の中心位置（この中心位置は撮影した位置に対応する）に合成される。
【００１０】
【発明の実施の形態】
以下添付図面に従って本発明に係る電子カメラの好ましい実施の形態について詳説する。
図１は本発明に係る電子カメラの構成を示したブロック図である。同図に示す電子カメラは、通常の電子カメラとして機能するために必要な構成の他に、ＧＰＳユニット５２、内部プリンタ５４及び地図データ発生装置５８を有している。
【００１１】
この電子カメラにおいて、レリーズスイッチ５０が押されると、メインＣＰＵ３０がこれを検知し、カメラＣＰＵ２２にコマンドを送る。カメラＣＰＵ２２は、フォーカス制御、測光、露出制御を行い、光学ユニット１０を介して被写体の画像光を固体撮像素子（ＣＣＤ）１２の受光面上に結像させる。ＣＣＤ１２は、受光面に結像された画像光をその光量に応じた量の信号電荷に変換する。このようにして蓄積された信号電荷は、クロック発生回路２４からのクロックパルス基づいて信号電荷に応じた電圧信号（画像信号）として順次読み出される。ＣＣＤ１２から出力された画像信号は、アナログ処理回路１４に加えられ、ここでホワイトバランス調整やガンマ補正等が行われる。このアナログ処理回路１４でアナログ処理された画像信号は、Ａ／Ｄコンバータ１６でデジタルデータに変換された後、一旦バッファメモリ１８に保存される。
【００１２】
尚、カメラＣＰＵ２２は、被写体が暗い場合にストロボ制御回路２６を動作させる。ストロボ制御回路２６は、図示しないメインコンデンサの充電制御や、被写体が暗い場合にレリーズスイッチ５０の操作に同期してキセノン管２８への放電（発光）を制御する。更に、クロック発生回路２４を介してＣＣＤ１２での電荷蓄積時間（シャッタ速度）を制御する。また、クロック発生回路２４は、ＣＣＤ１２、アナログ処理回路１４及びＡ／Ｄコンバータ１６を駆動するクロックパルスを出力し、各回路の同期をとっている。
【００１３】
ＹＣ処理回路２０は、メインＣＰＵ３０から制御バス２３を介して加えられるコマンドでバッファメモリ１８上の画像データをＹＣ信号（輝度信号Ｙとクロマ信号Ｃ）に変換し、このＹＣ信号を再びバッファメモリ１８に保存する。その後、メインＣＰＵ３０は、圧縮・伸長回路３２にコマンドを送り、これにより圧縮・伸長回路３２はバッファメモリ１８上のＹＣ信号を圧縮し、その圧縮した画像データをカードインタフェース３４を介してメモリカード３６に記録する。
【００１４】
また、バッファメモリ１８上の画像データを間引いて縮小画像（例えば、８０×６０画素のサムネイル画像）を示す画像データを作成し、この画像データをカードインタフェース３４を介してメモリカード３６の定められた領域に記録する。
一方、メインＣＰＵ３０のシリアル受信端子と、ＧＰＳユニット５２の出力端子とが接続されており、メインＣＰＵ３０は、レリーズスイッチ５０が押されると、非同期のシリアル通信でＧＰＳユニット５２が測位した測位データを取り込み、その測位データを前記画像データに対応してメモリカード３６の定められた領域に記録する。
【００１５】
次に、通常の画像（オリジナル画像）を印刷する場合について説明する。
この場合、操作キー４８中のプリントスイッチが押されると、メインＣＰＵ３０はこれを検知し、プリント・連写ＣＰＵ４４に印刷開始コマンドを通信バス２５を介して伝える。プリント・連写ＣＰＵ４４は、印刷開始コマンドを受入すると、まずメモリバス２１を占有する。続いて、プリント・連写ＣＰＵ４４は、制御バス２３を介して圧縮・伸長回路３２を制御し、メモリカード３６に格納されている圧縮された画像データをカードインタフェース３４を介して読み出させる。この読み出された圧縮された画像データは、圧縮・伸長回路３２によってＹＣ信号に伸長された後、バッファメモリ１８に一旦保存される。
【００１６】
プリント・連写ＣＰＵ４４は、バッファメモリ１８に保存されたＹＣ信号をＲＧＢデータに変換して連写・プリントメモリ４２に格納し、その格納したＲＧＢデータをプリンタインタフェース４６を介して内部プリンタ５４に出力し、オリジナル画像を印刷させる。この時、内部プリンタ５４は、プリント・連写ＣＰＵ４４によって制御される。尚、内部プリンタ５４としては、例えば光定着型感熱記録方式のカラープリンタが適用されてるが、プリンタの種類はこれに限定されない。また、図１上で、３８はコマ番号等の各種の表示を行う液晶表示パネル、４０は内部プリンタ５４を含む電子カメラ内の各部に電源を供給するバッテリーである。
【００１７】
次に、本発明に係る合成画像を印刷する場合について説明する。
まず、本発明に係る合成画像について説明する。図２に示すように、撮影画像（オリジナル画像）Ａと、そのオリジナル画像が撮影された撮影位置を中心とした所定の範囲の地図画像Ｂとは画像サイズが略同じであり、オリジル画像Ａを地図画像Ｂ上に合成すると、オリジナル画像Ａによって地図画像Ｂが隠れる。そこで、オリジル画像Ａの代わりに前述した縮小画像Ａ’を地図画像Ｂ上に合成し、合成画像Ｃを得る。尚、縮小画像Ａ’の合成に際し、縮小画像Ａ’が地図画像Ｂ上の撮影位置（この実施の形態では地図画像の中心）にくるように合成する。
【００１８】
さて、図２に示した合成画像Ｃを印刷する場合には、まず、操作キー４８において合成画像Ｃの印刷を選択したのち、プリントスイッチを押す。
メインＣＰＵ３０はこれを検知し、プリント・連写ＣＰＵ４４に合成画像Ｃの印刷開始コマンドを通信バス２５を介して伝える。プリント・連写ＣＰＵ４４は、合成画像の印刷開始コマンドを受入すると、まずメモリバス２１を占有する。続いて、プリント・連写ＣＰＵ４４は、メモリカード３６に格納されている縮小画像の画像データをカードインタフェース３４を介して読み出し、バッファメモリ１８に一旦保存する。
【００１９】
また、プリント・連写ＣＰＵ４４は、上記縮小画像Ａ’の画像データに対応してメモリカード３６に記録された測位データを読み取り、その測位データに基づいて地図データ発生装置５８から所定の範囲の地図画像Ｂを示す地図データ（ＲＧＢデータ）を発生させ、その地図データを連写・プリントメモリ４２に格納する。続いて、プリント・連写ＣＰＵ４４は、バッファメモリ１８に格納されている縮小画像Ａ’の画像データ（ＹＣ信号）をＲＧＢデータに変換し、これを連写・プリントメモリ４２の測位データに対応したアドレス（この実施の形態では、地図画像の中心部分に対応するアドレス）に上書きする。
【００２０】
これにより、地図画像Ｂに縮小画像Ａ’を埋め込んだ合成画像Ｃを示す画像データ（ＲＧＢデータ）が連写・プリントメモリ４２に格納される。
そして、連写・プリントメモリ４２に格納したＲＧＢデータをプリンタインタフェース４６を介して内部プリンタ５４に出力し、合成画像Ｃを印刷させる。
尚、この実施の形態では、オリジナル画像Ａと合成画像Ｃとを別々に印刷するようにしたが、図３に示すように１枚のプリント用紙にオリジナル画像Ａと合成画像Ｃとを分割して印刷するようにしてもよい。また、オリジナル画像Ａと合成画像Ｃとを１枚のプリント用紙の表裏に印刷するようにしてもよい。
【００２１】
また、地図データ発生装置５８に縮尺選択スイッチを設け、地図データ発生装置５８から発生される地図データの拡大・縮小を任意に選択できるようにしてもよい。
この実施の形態では、メモリカード３６に記録された縮小画像の画像データと、この画像データとともに記録された測位データに基づいて地図データ発生装置５８から発生させた地図データとから合成画像を示す画像データを作成し、これを印刷するようにしたが、これに限らず、レリーズスイッチを押したときに前記合成画像を示す画像データを作成し、これを印刷するようにしてもよい。即ち、レリーズスイッチを押したときに前記合成画像をダイレクトプリントしてもよい。
【００２２】
また、この実施の形態では、内部プリンタ５４を有する電子カメラについて説明したが、本発明は外部プリンタ５６が接続可能な電子カメラにも適用できる。更に、レリーズスイッチを押したときに前記合成画像を示す画像データを作成し、これをメモリカードに記録するようにしてもよく、この場合には、プンリタを有しない電子カメラでもよい。尚、メモリカード等の記録媒体に合成画像を示す画像データを記録することより、合成画像を示す画像データをパソコンに入力したり、合成画像を任意のプリンタで印刷することができる。
【００２３】
【発明の効果】
以上説明したように本発明によれば、撮影した画像とその撮影場所を示す地図画像とを合成した合成画像を印刷することができ、合成画像の印刷指示等の簡単な操作で撮影画像と地図画像とが合成された合成画像を得ることができる。特に撮影画像を縮小し、その縮小画像を地図画像上の撮影位置に埋め込むようにしたため、撮影画像によって地図画像が隠れることがなく、地図画像によって撮影位置を認識することができる。
【図面の簡単な説明】
【図１】図１は本発明に係る電子カメラの構成を示したブロック図である。
【図２】図２は本発明に係る合成画像を説明するために用いた図である。
【図３】図３はオリジナル画像と合成画像とを並べて印刷する実施の形態を示す図である。
【符号の説明】
１０…光学ユニット
１２…固体撮像素子（ＣＣＤ）
１８…バッファメモリ
２０…ＹＣ処理回路
２２…カメラＣＰＵ
３０…メインＣＰＵ
３２…圧縮・伸長回路
３４…カードインタフェース
３６…メモリカード
４２…連写・プリントメモリ
４４…プリント・連写ＣＰＵ
４６…プリンタインタフェース
４８…操作キー
５０…レリーズスイッチ
５４…内部プリンタ
５６…外部プリンタ
【図１】
0004258821.tif 000002
【図２】
0004258821.tif 000003
【図３】
0004258821.tif 000004